(57)【特許請求の範囲】
【請求項１】
光透過性のある基材と、
前記基材の一方の面に形成された第１偽造判別層と、
前記基材の他方の面に形成された第２偽造判別層とを有する偽造判別媒体であって、
前記第２偽造判別層は、規則的なパターンを備え、
前記第１偽造判別層は、前記第２偽造判別層のパターンと同一のパターンのパターン領域と、前記パターン領域をカムフラージュする迷彩領域とを備え、
前記パターン領域は、通常は、前記迷彩領域にカムフラージュされるために判別不能であるが、前記基材を透かして前記第２偽造判別層と重ねて見ると、前記迷彩領域とのコントラストにより、その形状が判別可能になること
を特徴とする偽造判別媒体。
【請求項２】
請求項１に記載の偽造判別媒体において、
前記第１偽造判別層は、前記パターン領域のパターンと周期のずれたパターンを有する第２パターン領域をさらに備えること
を特徴とする偽造判別媒体。
【請求項３】
請求項２に記載の偽造判別媒体において、
前記第２パターン領域は、前記パターン領域の周囲を縁取る領域であること
を特徴とする偽造判別媒体。
【請求項４】
請求項１から請求項３までのいずれか１項に記載の偽造判別媒体において、
前記パターンは、ストライプパターンであること
を特徴とする偽造判別媒体。
【請求項５】
請求項１から請求項３までのいずれか１項に記載の偽造判別媒体において、
前記パターンは、網点パターンであること
を特徴とする偽造判別媒体。
【請求項６】
請求項１から請求項５までのいずれか１項に記載の偽造判別媒体の使用方法であって、
前記偽造判別媒体を透かしたときに、前記パターン領域の形状が判別可能になる場合は、前記偽造判別媒体は、真正品であり、前記パターン領域の形状が判別不能のままの場合は、前記偽造判別媒体は、偽造品であると判別できること
を特徴とする偽造判別媒体の使用方法。
【請求項７】
請求項１から請求項５までのいずれか１項に記載の偽造判別媒体の偽造判別方法であって、
パターン領域を備え、光透過性のある基材を透かしたときのパターン領域の形状によって偽造判別すること、
を特徴とする偽造判別媒体の偽造判別方法。
【発明の詳細な説明】
【０００１】
【発明の属する技術分野】
本発明は、商品券、証券、株券などの金券類や、各種証明書類などへの使用に適した偽造判別媒体及びその使用方法、その偽造判別方法に関するものである。
【０００２】
【従来の技術】
従来より、この種の金券類等の偽造防止を図るために、例えば、スカシを入れる方法がある。スカシは、その製造に大掛かりな設備を必要とするため、容易には、製造ができないこと、及び、光を透かすことで画像が変わるので、簡単に真偽判別ができることなどの理由により、偽造防止に有効な手段として普及している。
【０００３】
スカシは、製造方法により、抄造スカシ、疑似スカシ等に分けられる。
抄造スカシは、抄造時に特定の箇所のみの紙層を抜いたり、加えたりすることにより画像を形成するものである。紙層を抜いたものを白スカシといい、紙層を加えたものを黒スカシという。
また、疑似スカシは、特殊透明インキで画像を印刷して、抄造スカシと同等の効果を持たせるものである。
【０００４】
【発明が解決しようとする課題】
しかし、抄造スカシは、前述したように、製造に大掛かりな設備を必要とするため、少量生産には、適さなかった。
また、抄造時にスカシを入れるため、細かい絵柄の表現は、困難であった。
さらに、黒スカシはお札以外には使用できないという法的規制のため、白スカシしか使えないことや、色を付けることが容易ではないことなどから、他社の製品との差別化を図ることが困難であった。
【０００５】
また、前述した疑似スカシは、光に透かしたときと、そうでないときの画像の差を明確にすることが困難であった。
さらに、油を浸透させることで似たものを容易に作ることができてしまっていた。
【０００６】
本発明の課題は、比較的小規模の生産にも適し、簡単に偽造判別可能な偽造判別媒体及びその使用方法、その偽造判別方法を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、光透過性のある基材（１１）と、基材（１１）の一方の面に形成された第１偽造判別層（１２）と、基材（１１）の他方の面に形成された第２偽造判別層（１３）とを有する偽造判別媒体であって、第２偽造判別層（１３）は、規則的なパターンを備え、第１偽造判別層（１２）は、第２偽造判別層（１３）のパターンと同一のパターンのパターン領域（１２ａ）と、パターン領域（１２ａ）をカムフラージュする迷彩領域（１２ｃ）とを備え、パターン領域（１２ａ）は、通常は、迷彩領域（１２ｃ）にカムフラージュされるために判別不能であるが、基材（１１）を透かして第２偽造判別層（１３）と重ねて見ると、迷彩領域（１２ｃ）とのコントラストにより、その形状が判別可能になることを特徴とする偽造判別媒体である。
【０００８】
請求項２の発明は、請求項１に記載の偽造判別媒体において、第１偽造判別層（１２）は、パターン領域（１２ａ）のパターンと周期のずれたパターンを有する第２パターン領域（１２ｂ）をさらに備えることを特徴とする偽造判別媒体である。
【０００９】
請求項３の発明は、請求項２に記載の偽造判別媒体において、第２パターン領域（１２ｂ）は、パターン領域（１２ａ）の周囲を縁取る領域であることを特徴とする偽造判別媒体である。
【００１０】
請求項４の発明は、請求項１から請求項３までのいずれか１項に記載の偽造判別媒体において、前記パターンは、ストライプパターンであることを特徴とする偽造判別媒体である。
【００１１】
請求項５の発明は、請求項１から請求項３までのいずれか１項に記載の偽造判別媒体において、前記パターンは、網点パターンであることを特徴とする偽造判別媒体である。
【００１２】
請求項６の発明は、請求項１から請求項５までのいずれか１項に記載の偽造判別媒体の使用方法であって、前記偽造判別媒体を透かしたときに、パターン領域（１２ａ）の形状が判別可能になる場合は、前記偽造判別媒体は、真正品であって、パターン領域（１２ａ）の形状が判別不能のままの場合は、前記偽造判別媒体は、偽造品であると判別できることを特徴とする偽造判別媒体の使用方法である。
【００１３】
請求項７の発明は、請求項１から請求項５までのいずれか１項に記載の偽造判別媒体の偽造判別方法であって、パターン領域を備え、光透過性のある基材を透かしたときのパターン領域の形状によって偽造判別することを特徴とする偽造判別媒体の偽造判別方法である。
【００２１】
【発明の実施の形態】
以下、図面等を参照して、本発明の実施の形態について、さらに詳しく説明する。
（第１実施形態）
図１は、本発明による偽造判別媒体の第１実施形態を示している図である。図中、（Ａ）は、表面図、（Ｂ）は、裏面図、（Ｃ）は、（Ａ）のＣ部拡大図、（Ｄ）は、（Ｂ）のＤ部拡大図である。なお、Ｄ部は、Ｃ部の裏面である。
図２は、本実施形態による偽造判別媒体の断面図である。
【００２２】
偽造判別媒体１０は、基材１１と、第１偽造判別層１２と、第２偽造判別層１３と、絵柄印刷層１４、１５とを有する。
【００２３】
基材１１は、この偽造判別媒体の担体となる基材である。基材１１は、光に透かすと、裏側の面が透けて見えるようになることが必要であり、不透明度９０％程度以下のものが望ましい。
【００２４】
基材１１の材料としては、紙（例えば、アート紙、コート紙、合成紙など）、又は一般に用いられているプラスチック材料（例えば、塩化ビニル、ＰＭＭＡ、ＰＥＴ、ＡＢＳ、ポリオレフィン、ＰＥＴ−Ｇ、ポリカーボネート、アクリロニトリル−スチレン共重合体、セルロースプロピオネート、セルロースアセテートブチレート等）などが好適に用いられる。
なお、基材１１の厚さは、これらの材料を使用して、不透明度を満足できるように決定するとよい。
【００２５】
第１偽造判別層１２は、基材１１の片面に印刷された層であり、パターン領域１２ａと、第２パターン領域１２ｂと、迷彩領域１２ｃとを有している。（図１（Ｃ））
【００２６】
パターン領域１２ａは、規則的なパターンを有する領域であり、この実施形態では、左４５度上がりの黒の等間隔ストライプの領域である。また、図１（Ｃ）のように、パターン領域１２ａの形状は、数字の「１」の形状を形成している。
なお、このストライプは、できるだけ細かいことが望ましい。細かいほど、複写機によるコピーが困難になるからである。具体的には、４００ｄｐｉ以下の細かさであるとよい。
【００２７】
第２パターン領域１２ｂは、パターン領域１２ａの周囲に設けられた領域であり、パターン領域１２ａのパターンと半周期ずれたパターンを有している。
【００２８】
迷彩領域１２ｃは、パターン領域１２ａの具体的な形状、すなわち、この実施形態では、数字の「１」の形状を形成していることを隠すための領域であり、パターン領域１２ａ及び第２パターン領域１２ｂに対して、見た目で判別できない程度の模様、色彩等を有する領域である。
この実施形態では、パターン領域１２ａと同ピッチであって、右４５度上がりの黒のストライプを有している。
【００２９】
第２偽造判別層１３は、基材１１に印刷された層であり、第１偽造判別層１２が設けられている面と反対側の面に形成されている。第２偽造判別層１３は、パターン領域１２ａと同種の左４５度上がりの黒のストライプを有している。（図１（Ｄ））
【００３０】
絵柄印刷層１４、１５は、基材１１のうち、第１偽造判別層１２及び第２偽造判別層１３以外の部分について、不透明にするための印刷層であり、基材１１の表裏面に設けられている。絵柄印刷層１４、１５には、偽造判別媒体１０の名称や、図案などが印刷されている。
絵柄印刷層１４、１５は、基材１１を不透明にするためのものであるので、その目的が満足できれば、いずれか一方の層のみでもよい。
【００３１】
（使用方法）
図３は、本実施形態による偽造判別媒体の使用方法を説明している図である。
図中、（Ａ）は、図１のＣ部の拡大図、（Ｂ）は、図１のＤ部の拡大図、（Ｃ）は、そのＤ部を表面側から透かした図、（Ｄ）は、図１のＣ部を表面側から透かした図である。
図４は、本実施形態による偽造判別媒体が真正品の場合を示す図である。
【００３２】
偽造判別媒体１０の使用者は、以下のようにして、偽造品を判別できる。
【００３３】
（１）使用者は、第１偽造判別層１２を確認する。
このとき、使用者は、第１偽造判別層１２を確認できるが、パターン領域１２ａと、第２パターン領域１２ｂと、迷彩領域１２ｃとの区別はできない。
【００３４】
（２）使用者は、偽造判別媒体１０を光に透かす。
このとき、第２偽造判別層１３は、偽造判別媒体１０の裏面に、左４５度上がりのストライプとして印刷されているので（図３（Ｂ））、表面側から透かすと右４５度上がりに見える。（図３（Ｃ））
【００３５】
したがって、偽造判別媒体１０を表面側から透かして見ると、パターン領域１２ａは、この領域の黒線と、第２偽造判別層１３の黒線が合成されて、一様に塗りつぶされて見える。（図３（Ｄ））
【００３６】
一方、第２パターン領域１２ｂは、この領域の黒線と、第２偽造判別層１３の黒線が重なるため、偽造判別媒体１０を表面側から透かしても、第２偽造判別層１３の影響は受けず、もとの黒のストライプと同じままである。
【００３７】
また、迷彩領域１２ｃは、この領域の黒線と、第２偽造判別層１３の黒線が合成されて、網状に塗りつぶされた領域に見える。
【００３８】
これらの領域の濃淡差により、パターン領域１２ａの形状が目視可能になる。
偽造判別媒体１０は、第１偽造判別層１２の他の部分にも、パターン領域１２ａを有しており、偽造判別媒体１０を透かすと、他のパターン領域１２ａの形状も併せて目視可能となる。（図４）
【００３９】
（３）使用者は、偽造判別媒体１０に、数字「１０００」を目視できる。
（４）このように、偽造判別媒体１０を透かすことによって、パターン領域１２ａの形状が目視可能になるので、使用者は、この偽造判別媒体１０が真正品であることを確認できる。
【００４０】
本実施形態によれば、偽造判別媒体１０を透かすことによって、パターン領域１２ａの形状が目視可能になるので、使用者は、この偽造判別媒体１０が、真正品であることを容易に確認できる。
また、第１偽造判別層１２、第２偽造判別層１３は、印刷により形成されているので、比較的小規模の生産であっても、好適に実施できる。また、着色も容易であり、他社の製品との差別化を図ることができる。特に、墨（ブラック）、シアンやマゼンダなどのように濃い色を使用すると、パターン領域１２ａの形状が確認しやすく、真偽判定も簡単に行える。
【００４１】
（第２実施形態）
図５は、本発明による偽造判別媒体の第２実施形態を示す図である。図中、（Ａ）は、偽造判別媒体２０の断面及び使用方法を示す図、（Ｂ）は、方向１から見たときの偽造判別層を示す図、（Ｃ）は、方向２から見たときの偽造判別層を示す図である。
なお、以下に示す各実施形態では、前述した第１実施形態と同様の機能を果たす部分には、末尾が同一の符号を付して、重複する説明を適宜省略する。
【００４２】
偽造判別媒体２０は、基材２１と、第１偽造判別層２２と、第２偽造判別層２３とを有する。
【００４３】
基材２１は、ほぼ透明で、通常の状態でも、裏側の面が透けて見える基材である。
【００４４】
第１偽造判別層２２は、規則的なパターンのパターン領域２２ａを備える層であり、この実施形態では、黒の等間隔ストライプを備えている。
【００４５】
第２偽造判別層２３は、第１偽造判別層２２のパターンと半周期ずれたパターンの黒のストライプを備えている。
【００４６】
（使用方法）
（１）偽造判別媒体２０の使用者は、方向１から、第１偽造判別層２２を確認する。
このとき、基材２１は透明なので、第１偽造判別層２２のパターン領域２２ａは、第２偽造判別層２３と合わさって、全面塗り潰されて見える。（図５（Ｂ））
（２）使用者は、偽造判別媒体２０を傾けて、方向２から、第１偽造判別層２２を確認する。
このとき、第１偽造判別層２２のパターン領域２２ａは、第２偽造判別層２３と重なるので、ストライプ状に見える。（図５（Ｃ））
（３）このように、第１偽造判別層２２は、偽造判別媒体２０を見る方向によって、パターン領域２２ａの形状が判別可能となるので、使用者は、この偽造判別媒体２０が真正品であることを確認できる。
【００４７】
本実施形態によれば、偽造判別媒体２０を傾けて見ることによって、パターン領域２２ａの形状が判別可能となるので、使用者は、この偽造判別媒体２０が真正品であることを容易に確認できる。
なお、基材２１は透明なので、第２偽造判別層２３側から見ても、同様に確認できる。
【００４８】
（第３実施形態）
図６は、本発明による偽造判別媒体の第３実施形態を示す断面図である。
【００４９】
偽造判別媒体３０は、基材３１と、第１偽造判別層３２、第２偽造判別層３３と、絵柄印刷層３４と、粘着層３６とを有する。
【００５０】
基材３１は、ほぼ透明で、通常の状態でも、裏側の面が透けて見える基材である。
【００５１】
粘着層３６は、偽造判別媒体３０を貼付可能にする層であり、第２偽造判別層３３の上に形成されている。粘着層３６は、アクリル系粘着剤、天然ゴム系粘着剤、合成ゴム系粘着剤、シリコーンゴム系粘着剤等を塗布して設けることができる。
【００５２】
本実施形態によれば、粘着層３６を有しているので、既存の商品券等に貼り付けて使用することができる。使用者は、第２実施形態と同様に、偽造判別媒体３０を見る角度を変えることにより、パターン領域３２ａの形状が判別可能となるので、その商品券等が真正品であるか否かを容易に判別できる。
【００５３】
（第４実施形態）
図７は、本発明による偽造判別媒体の第４実施形態にかかる第１偽造判別層及び第２偽造判別層を示す拡大図である。図中、（Ａ）は、第１偽造判別層の拡大図、（Ｂ）は、第２偽造判別層の拡大図である。
【００５４】
第１偽造判別層４２及び第２偽造判別層４３は、網点パターンであるという点で、第１実施形態にかかる偽造判別媒体１０の第１偽造判別層１２と及び第２偽造判別層１３と相違する。
【００５５】
第１偽造判別層４２は、基材の片面に印刷された層であり、パターン領域４２ａと、第２パターン領域４２ｂと、迷彩領域４２ｃとを有している。（図７（Ａ））
【００５６】
パターン領域４２ａは、規則的なパターンを有する領域であり、この実施形態では、黒の網点パターンの領域である。
第２パターン領域４２ｂは、パターン領域４２ａの周囲に設けられた領域であり、パターン領域４２ａのパターンと半周期ずれたパターンを有している。
【００５７】
迷彩領域４２ｃは、パターン領域４２ａの具体的な形状を隠すための領域であり、パターン領域４２ａ及び第２パターン領域４２ｂに対して、見た目で判別できない程度の模様、色彩等を有する領域である。
この実施形態では、パターン領域４２ａと同ピッチであって、黒の網点パターンを有している。
【００５８】
第２偽造判別層４３は、基材に印刷された層であり、第１偽造判別層４２が設けられている面と反対側の面に形成されている。第２偽造判別層４３は、第２パターン領域４２ｂと同パターンを有している。（図７（Ｂ））
【００５９】
本実施形態によれば、偽造判別媒体を透かすことによって、パターン領域４２ａの形状が目視可能になるので、真正品を容易に判別できる。
また、第１偽造判別層４２及び第２偽造判別層４３は、網点パターンであるので、通常の判別がより困難である。
【００６０】
（変形形態）
以上説明した実施形態に限定されることなく、種々の変形や変更が可能であって、それらも本発明の均等の範囲内である。
例えば、第２実施形態においても、第１偽造判別層、第２偽造判別層の印刷は、ストライプだけに限らずに、網点であっても同様の効果が得られる。
また、第３実施形態において、粘着層３６は、判別情報層３２の上に形成されていても、同様の効果が得られる。（図８）
【００６１】
【発明の効果】
以上詳しく説明したように、請求項１の発明によれば、基材を透かすことで、パターン領域の形状を確認できるか否かで真偽判別が行える。
【００６２】
請求項２の発明によれば、第１偽造判別層は、第２パターン領域をさらに備えるので、真正品の判別時に、パターン領域のコントラストを付けやすい。
【００６３】
請求項３の発明によれば、第２パターン領域は、パターン領域の周囲を縁取る領域であるので、真正品の判別時に、周囲とのコントラストによりパターン領域の形状を確認しやすい。
【００６４】
請求項４の発明によれば、パターン領域のパターンは、ストライプパターンであるので、真正品の判別時に、パターン領域の形状を明確に出しやすい。
【００６５】
請求項５の発明によれば、パターン領域のパターンは、網点パターンであるので、通常の判別がより困難である。
【００６６】
請求項６の発明によれば、偽造判別媒体を透かしたときに、パターン領域の形状が判別可能になるか否かで真偽判別ができる。
【００６７】
請求項７の発明によれば、光透過性のある基材を透かしたときのパターン領域の形状によって偽造品を判別できる。
【図面の簡単な説明】
【図１】本発明による偽造判別媒体の第１実施形態を示す図である。
【図２】本発明による偽造判別媒体の第１実施形態の断面図である。
【図３】本発明による偽造判別媒体の第１実施形態の使用方法を説明する図である。
【図４】本発明による偽造判別媒体の第１実施形態が真正品の場合を示す図である。
【図５】本発明による偽造判別媒体の第２実施形態を示す図である。
【図６】本発明による偽造判別媒体の第３実施形態を示す断面図である。
【図７】本発明による偽造判別媒体の第４実施形態にかかる第１偽造判別層及び第２偽造判別層を示す拡大図である。
【図８】本発明による偽造判別媒体の他の実施形態を示す断面図である。
【符号の説明】
１０、２０、３０  偽造判別媒体
１１、２１、３１  基材
１２、２２、３２  第１偽造判別層
１２ａ、２２ａ、３２ａ、４２ａ  パターン領域
１２ｂ、４２ｂ  第２パターン領域
１２ｃ、４２ｃ  迷彩領域
１３、２３、３３、４３  第２偽造判別層
１４、１５、３４  絵柄印刷層
３６  粘着層
【図１】
0004035223.tif 000002
【図２】
0004035223.tif 000003
【図３】
0004035223.tif 000004
【図４】
0004035223.tif 000005
【図５】
0004035223.tif 000006
【図６】
0004035223.tif 000007
【図７】
0004035223.tif 000008
【図８】
0004035223.tif 000009